(57)【要約】【課題】、尿や水様便の漏れを可能な限り少なくすることができる介護用使い捨てパンツを提供する。【解決手段】使用者の腰回り部を被覆する腰回り被覆部１００と、使用者の左右両脚の各太ももをそれぞれ被覆する太もも被覆部２００とを有し、これら腰回り被覆部１００及び太もも被覆部２００を含めた介護用使い捨てパンツ１０の全体の領域を全体領域３００としたとき、全体領域３００は、防水透湿材でなり、当該全体領域３００において使用者の股間部に対応する部分を含む所定領域には、吸水材１２０が設けられているとともに、吸水材１２０以外の領域は伸縮性を有する伸縮領域となっており、腰回り被覆部１００には、腰回り折返し点Ｐ１１から内側下方向へ折り返されている腰回り折り返し部１３０が設けられており、太もも被覆部２００には、太もも折返し点Ｐ２１から内側上方向へ折り返されている太もも折返し部２１０が設けられている。【選択図】図１
0003220378.tif 000002
【実用新案登録請求の範囲】
【請求項１】
使用者の下腹部、臀部及び股間部を含む腰回り部から、前記使用者の左右両脚の太もものうち前記股間部に近い左右両脚の各太ももまでを被覆することができるボクサーパンツ型の介護用使い捨てパンツであって、
前記腰回り部を被覆する腰回り被覆部と、
前記使用者の左右両脚の太もものうち前記股間部に近い左右両脚の各太ももをそれぞれ被覆する太もも被覆部と、
を有し、これら腰回り被覆部及び太もも被覆部を含めた前記介護用使い捨てパンツの全体の領域を全体領域とし、前記使用者の頭部側の位置を上、前記使用者の脚部側の位置を下としたとき、
前記全体領域は、防水透湿材でなり、当該全体領域において前記使用者の股間部に対応する部分を含む所定領域には、吸水材が設けられているとともに、前記吸水材が設けられている吸水領域以外の領域は伸縮性を有する伸縮領域となっており、
前記腰回り被覆部には、当該腰回り被覆部の上部所定位置を腰回り折返し点として、当該腰回り折返し点から内側下方向へ折り返されている腰回り折り返し部が設けられており、
前記太もも被覆部には、当該太もも被覆部の下部所定位置を太もも折返し点として、当該太もも折返し点から内側上方向へ折り返されている太もも折返し部が設けられている、ことを特徴とする介護用使い捨てパンツ。
【請求項２】
請求項１に記載の介護用使い捨てパンツにおいて、
前記太もも被覆部は、前記股間部から前記太もも折り返し点までの間の長さが８０ｍｍ〜１２０ｍｍの長さであることを特徴とする介護用使い捨てパンツ。
【請求項３】
請求項１又は２に記載の介護用使い捨てパンツにおいて、
前記腰回り折り返し部及び前記太もも折り返し部は、それぞれの上下方向の幅が３０ｍｍ〜６０ｍｍであることを特徴とする介護用使い捨てパンツ。
【請求項４】
請求項１〜３のいずれかに記載の護用使い捨てパンツにおいて、
前記伸縮領域には、細線状の伸縮性素材が周方向に沿って上下方向に複数段設けられていることによってギャザーが形成されていることを特徴とする介護用使い捨てパンツ。
【請求項５】
請求項４に記載の介護用使い捨てパンツにおいて、
前記細線状の伸縮性素材は、前記腰回り折り返し部及び前記太もも折り返し部においては、前記腰回り折り返し部及び前記太もも折り返し部以外の部分に比べて高密度で設けられていることを特徴とする介護用使い捨てパンツ。
【請求項６】
請求項４又は５に記載の介護用使い捨てパンツにおいて、
前記細線状の伸縮性素材は、
前記腰回り折り返し部においては、当該腰周り折り返し部の下方向先端部にまで設けられており、
前記太もも折り返し部においては、当該太もも折り返し部の上方向先端部にまで設けられていることを特徴とする介護用使い捨てパンツ。
【請求項７】
請求項１〜６のいずれかに記載の介護用使い捨てパンツにおいて、
前記腰回り折り返し部の前記腰回り被覆部に対面する側の面を腰回り折り返し内面とし、前記太もも折り返し部の前記太もも被覆部に対面する側の面を太もも折り返し内面としたとき、
前記腰回り折り返し部においては、前記腰回り折り返し内面のうち前記腰回り折返し点に近い内面と、当該腰回り折返し点に近い内面に対面する腰回り被覆部とを接合した腰回り折り返し接合部が形成されており、
前記太もも折り返し部においては、前記太もも折り返し内面のうち前記太もも折返し点に近い内面と、当該太もも折返し点に近い内面に対面する腰回り被覆部とを接合した太もも折り返し接合部が形成されていることを特徴とする介護用使い捨てパンツ。
【請求項８】
請求項７に記載の介護用使い捨てパンツにおいて、
前記腰回り折り返し接合部及び前記太もも折り返し接合部は、それぞれの上下方向の幅が５ｍｍ〜１５ｍｍであることを特徴とする介護用使い捨てパンツ。
【請求項９】
請求項１〜８のいずれかに記載の介護用使い捨てパンツにおいて、
当該介護用使い捨てパンツの使用前の状態においては、前記太もも被覆部は、前記太もも折り返し部とともに外側上方向に折り返された状態となっていることを特徴とする介護用使い捨てパンツ。
【考案の詳細な説明】
【技術分野】
【０００１】
本考案は、介護用使い捨てパンツに関する。
【背景技術】
【０００２】
介護用使い捨てパンツは、は従来から種々提案されている（例えば、非特許文献１参照。）。図５は、非特許文献１に記載されている介護用使い捨てパンツ９００を説明するために示す図である。非特許文献１に記載されている介護用使い捨てパンツ９００は図５に示すように、使用者（被介護者）の下腹部、臀部及び股間部を含む腰回り部を被覆する腰回り被覆部９１０と、使用者の左右両脚の太もものうち股間部に近い左右両脚の各太ももをそれぞれ被覆する太もも被覆部９２０とを有している。なお、これら腰回り被覆部９１０及び太もも被覆部９２０を含めた介護用使い捨てパンツ９００の全体の領域を全体領域９３０として説明する。また、使用者の頭部側を上、前記使用者の脚部側を下として説明する。
【０００３】
また、介護用使い捨てパンツ９００は、全体領域９３０が防水透湿材でなるとともに、当該全体領域９３０のうち、腰回り被覆部９１０の所定領域（図示薄い灰色で示す領域）が吸水材９４０が設けられているとともに、当該吸水材が設けられている領域以外の領域は伸縮性を有している。なお、全体領域９３０は通気性の高い素材でなる。
【０００４】
このような構成となっている介護用使い捨てパンツ９００は、使用者の股間部に近い左右両脚の太ももまでをも覆うことができるようになっている、いわゆる「ボクサーパンツ型」と呼ばれているものに近い形状となっている。「ボクサーパンツ型」の利点は、排泄物の漏れをできるだけ少なくできることに加えて、その形状から「おむつ」らしさが薄らいだものとなり、「介護用おむつ」というマイナス的なイメージを軽減できる点であり、今後、需要が増えて行くことが予想される。
【先行技術文献】
【特許文献】
【０００５】
【非特許文献１】介護用品・吸水ケア用品  すきまモレ安心うす型パンツ、［online］、［平成29年6月26日検索]、インターネット<URL：<https://www.elleair.jp/products/care/pants_outer_sukima.php>＞
【考案の概要】
【考案が解決しようとする課題】
【０００６】
しかしながら、非特許文献１に記載されている介護用使い捨てパンツ９００は、吸水材９４０以外の領域は、通気性は高いものとなっているが、防水性はあまり高くないため、尿又は水様性の便（水様便という。）などは、吸水材９４０以外の領域でくい止めることは期待できない。特に、腰回り被覆部９１０の上端部及び太もも被覆部９２０の下端部は、単に、使用者の腰回り及び太ももを伸縮性のあるギャザーなどで押さえているだけである。このため、吸水材９４０で吸収できなかった尿や水様便が腰回り被覆部９１０の上端部及び太もも被覆部９２０の下端部から漏れ出てくる可能性が高く、それが臭気の原因ともなる。
【０００７】
特に、多数の被介護者が入所している施設（介護施設や病院など）などにおいては、多種多様な介護用使い捨てパンツを使用しているが、介護用使い捨てパンツから漏れ出た尿や水様便による臭気が、当該施設に漂うこととなる。施設内に漂う臭気は、当該施設で働く従業員は勿論のこと、施設への来訪者にとっても、精神的な面で大きな負担となり、また、衛生的な面においても改善すべきである。このことから、介護用使い捨てパンツにおける漏れは可能な限り少なくすることが望まれている。
【０００８】
本考案は上記事情に鑑みてなされたものであり、尿や水様便の漏れを可能な限り少なくすることができる介護用使い捨てパンツを提供することを目的とする。
【課題を解決するための手段】
【０００９】
［１］本考案の介護用使い捨てパンツは、使用者の下腹部、臀部及び股間部を含む腰回り部から、前記使用者の左右両脚の太もものうち前記股間部に近い左右両脚の各太ももまでを被覆することができるボクサーパンツ型の介護用使い捨てパンツであって、前記腰回り部を被覆する腰回り被覆部と、前記使用者の左右両脚の太もものうち前記股間部に近い左右両脚の各太ももをそれぞれ被覆する太もも被覆部と、を有し、これら腰回り被覆部及び太もも被覆部を含めた前記介護用使い捨てパンツの全体の領域を全体領域とし、前記使用者の頭部側の位置を上、前記使用者の脚部側の位置を下としたとき、前記全体領域は、防水透湿材でなり、当該全体領域において前記使用者の股間部に対応する部分を含む所定領域には、吸水材が設けられているとともに、前記吸水材が設けられている吸水領域以外の領域は伸縮性を有する伸縮領域となっており、前記腰回り被覆部には、当該腰回り被覆部の上部所定位置を腰回り折返し点として、当該腰回り折返し点から内側下方向へ折り返されている腰回り折り返し部が設けられており、前記太もも被覆部には、当該太もも被覆部の下部所定位置を太もも折返し点として、当該太もも折返し点から内側上方向へ折り返されている太もも折返し部が設けられている、ことを特徴とする。
【００１０】
［２］本考案の介護用使い捨てパンツにおいては、前記太もも被覆部は、前記股間部から前記太もも折り返し点までの間の長さが８０ｍｍ〜１２０ｍｍの長さであることが好ましい。
【００１１】
［３］本考案の介護用使い捨てパンツにおいては、前記腰回り折り返し部及び前記太もも折り返し部は、それぞれの上下方向の幅が３０ｍｍ〜６０ｍｍであることが好ましい。
【００１２】
［４］本考案の介護用使い捨てパンツにおいては、前記伸縮領域には、細線状の伸縮性素材が周方向に沿って上下方向に複数段設けられていることによってギャザーが形成されていることが好ましい。
【００１３】
［５］本考案の介護用使い捨てパンツにおいては、前記細線状の伸縮性素材は、前記腰回り折り返し部及び前記太もも折り返し部においては、前記腰回り折り返し部及び前記太もも折り返し部以外の部分に比べて高密度で設けられていることが好ましい。
【００１４】
［６］本考案の介護用使い捨てパンツにおいては、前記細線状の伸縮性素材は、前記腰回り折り返し部においては、当該腰周り折り返し部の下方向先端部にまで設けられており、前記太もも折り返し部においては、当該太もも折り返し部の上方向先端部にまで設けられていることが好ましい。
【００１５】
［７］本考案の介護用使い捨てパンツにおいては、前記腰回り折り返し部の前記腰回り被覆部に対面する側の面を腰回り折り返し内面とし、前記太もも折り返し部の前記太もも被覆部に対面する側の面を太もも折り返し内面としたとき、前記腰回り折り返し部においては、前記腰回り折り返し内面のうち前記腰回り折返し点に近い内面と、当該腰回り折返し点に近い内面に対面する腰回り被覆部とを接合した腰回り折り返し接合部が形成されており、前記太もも折り返し部においては、前記太もも折り返し内面のうち前記太もも折返し点に近い内面と、当該太もも折返し点に近い内面に対面する腰回り被覆部とを接合した太もも折り返し接合部が形成されていることが好ましい。
【００１６】
［８］本考案の介護用使い捨てパンツにおいては、前記腰回り折り返し接合部及び前記太もも折り返し接合部は、それぞれの上下方向の幅が５ｍｍ〜１５ｍｍであることが好ましい。
【００１７】
［９］本考案の介護用使い捨てパンツにおいては、当該介護用使い捨てパンツの使用前の状態においては、前記太もも被覆部は、前記太もも折り返し部とともに外側上方向に折り返された状態となっていることが好ましい。
【考案の効果】
【００１８】
本考案の介護用使い捨てパンツは、全体領域が防水透湿材で形成されており、また、股間部分を含む所定領域には、吸水材が設けられている。また、本考案の介護用使い捨てパンツは、腰回り被覆部の上部には、腰回り折り返し部が設けられており、太もも被覆部の下部には、太もも折り返し部が設けられている。
【００１９】
このため、被介護者が排泄した尿や水様便の多くは、吸水材で吸収され、吸水材で吸収されなかった尿や水様便は、吸水材の外側に流出することとなるが、本名考案の介護用使い捨てパンツ全体（全体領域）が、防水透湿材によって形成されているため、よほど長時間が経過しない限り、吸水材が設けられていない領域においても、尿や水様便が外部に染み出てしまうといったことはない。また、吸水材で吸収されなかった尿や水様便は、腰回り被覆部の上部方向及び太もも被覆部の下部方向に流れ込んで行く場合もあるが、このような場合、流れ込んだ尿や水様便は、胴回り折り返し部及び太もも折り返し部でくい止められる。
【００２０】
このように、本考案の介護用使い捨てパンツによれば、被介護者が排泄した尿や水様便の漏れを可能な限り少なくすることができる。これにより、多数の被介護者が入所している施設（介護施設や病院など）などにおいて、介護用使い捨てパンツから漏れ出た尿や水様便による臭気が、当該施設内に漂うといったことを抑制することができる。また、本考案の介護用使い捨てパンツは、太ももの上部までをも被覆する、いわゆるボクサーパンツ型であるため、従来の一般的な「介護用紙おむつ」に比べて、「おむつ」らしさが薄らいだものとなり、「介護用おむつ」のマイナス的なイメージを軽減できるものとなる。
【図面の簡単な説明】
【００２１】
【図１】実施形態１に係る介護用使い捨てパンツ１０を説明するために示す図である。
【図２】全体領域３００に用いられている防水透湿材を説明するために示す図である。
【図３】腰回り折り返し部１３０及び太もも折り返し部２１０を説明するために示す図である。
【図４】介護用使い捨てパンツ１０の使用前の状態を説明するために示す図である。
【図５】非特許文献１に記載されている介護用使い捨てパンツ９００を説明するために示す図である。
【考案を実施するための形態】
【００２２】
以下、本考案の実施形態について説明する。
【００２３】
［実施形態１］
図１は、実施形態１に係る介護用使い捨てパンツ１０を説明するために示す図である。実施形態１に係る介護用使い捨てパンツ１０は、使用者の下腹部、臀部及び股間部を含む腰回り部から、使用者の左右両脚の太もものうち股間部に近い左右両脚の各太ももまでを被覆することができるボクサーパンツ型の介護用使い捨てパンツである。なお、図１（ａ）は実施形態１に係る介護用使い捨てパンツ１０の前面を示す図であり、図１（ｂ）は実施形態１に係る介護用使い捨てパンツ１０の後面を示す図である。また、実施形態１に係る介護用使い捨てパンツ１０（以下、単に「介護用使い捨てパンツ１０」と表記する場合もある。）を説明するに当たり、当該介護用使い捨てパンツ１０を構成する各部分を次のような名称として説明することとする。
【００２４】
すなわち、使用者（被介護者）の下腹部、臀部及び股間部を含む腰回り部に対応する介護用使い捨てパンツ１０の部分を「腰回り被覆部１００」とし、使用者の左右両脚の太もものうち股間部に近い左右両脚の各太ももを被覆する部分を「太もも被覆部２００」とし、これら腰回り被覆部１００及び太もも被覆部２００を含めた介護パンツの全体の領域を「全体領域３００」として説明する。また、使用者の頭部側を上、前記使用者の脚部側を下として説明する。
【００２５】
介護用使い捨てパンツ１０は、図１に示すように、腰回り被覆部１００及び太もも被覆部２００を有しており、これら腰回り被覆部１００及び太もも被覆部２００を含めた全体領域３００が、防水透湿材でなる。また、全体領域３００において使用者の股間部に対応する部分（股間部分１１０とする。）を含む所定領域（図１において灰色で示す領域）には、吸水材１２０が設けられているとともに、吸水材１２０が設けられている領域以外の領域は伸縮性を有している。なお、吸水材１２０が設けられている領域を「吸水領域」と表記する場合もある。
【００２６】
なお、図１においては、吸水材１２０が設けられている領域すなわち吸水領域が灰色で示されているが、これは、当該図１において、吸水領域を視覚的に分かり易くするためであり、実際の介護用使い捨てパンツ１０において吸水領域が灰色に着色されているものではない。また、図１に示す吸水領域を示す範囲は一例を示すものであって、図１に示す範囲に限定されるものではなく、図１に示す範囲よりも狭い範囲としてもよく、また、より広い範囲としてもよい。
【００２７】
但し、吸水材１２０は、介護用使い捨てパンツ１０の下腹部から股間部分１１０を通って臀部まで設けられ、左右両側面には設けないようにする。これは、吸水材１２０は、伸縮性が殆どない綿状パルプ、吸水紙、高分子吸水材などからなり、全体領域３００の構成材である防水透湿材（構成については後述する。）に接合されたものとなっているためである。このため、吸水材１２０を設ける範囲（吸収領域）は、介護用使い捨てパンツ１０の伸縮性と吸水能力とを勘案し、十分な伸縮性を確保でき、かつ、可能な限り広い範囲で尿や水様便などを吸収できるように設定されている。
【００２８】
また、腰回り被覆部１００には、当該腰回り被覆部１００の上部所定位置を腰回り折返し点Ｐ１１として、当該腰回り折返し点Ｐ１１から内側下方向へ折り返されている腰回り折り返し部１３０が設けられている。また、太もも被覆部２００には、当該太もも被覆部２００の下部所定位置を太もも折返し点Ｐ２１として、当該太もも折返し点Ｐ２１から内側上方向へ折り返されている太もも折り返し部２１０が設けられている。これら、腰回り折り返し部１３０及び太もも折り返し部２１０については後述する。
【００２９】
ところで、太もも被覆部２００の上下方向サイズ（股間部分１１０から太もも折り返し点Ｐ２１までのサイズ）Ｌ１は、使用者の股間部から下方向に８０ｍｍ〜１２０ｍｍ程度までの太ももを被覆することができるサイズとすることが好ましい。一方、腰回り被覆部１００の上下方向サイズ（腰回り折り返し点Ｐ１１から股間部分１１０までのサイズ）は、一般的な体格を有する使用者のヘソ周辺から股間部までを被覆することができる程度のサイズであればよい。
【００３０】
次に、全体領域３００について説明する。当該全体領域３００は、前述したように、防水透湿材でなるとともに、吸水材１２０による吸水領域以外の領域は、主に周方向の伸縮性を有している。
【００３１】
図２は、全体領域３００に用いられている防水透湿材を説明するために示す図である。なお、図２は全体領域３００の一部の断面を模式的に示す図である。全体領域３００に用いられている防水透湿材は、防水透湿シート３１０を不織布３２０，３３０で挟んだ構成となっている。
【００３２】
このような構成の防水透湿材を用いた全体領域３００は、吸水領域以外においては、伸縮性を有する伸縮領域となっている。当該伸縮領域は、主に周方向の伸縮性を有している。周方向の伸縮性を得るようにするための構成としては、防水透湿材に細線状の伸縮性素材（細いゴム紐とする。）３４０を周方向に沿って上下方向に多数段設けることによって、ギャザー３５０を形成する（図１参照。）。それによって周方向の伸縮性が得られる。
【００３３】
なお、伸縮性素材３４０は、腰回り折り返し部１３０及び太もも折り返し部２１０においては、他の領域よりも高密度、すなわち、各伸縮性素材３４０間の間隔を狭く配置している。具体的には、腰回り折り返し部１３０及び太もも折り返し部２１０においては、腰回り折り返し部１３０及び太もも折り返し部２１０が被介護者の身体に密接する程度の強さとなるような伸縮性を有することが好ましい。一方、腰回り折り返し部１３０及び太もも折り返し部２１０以外の領域においては、腰回り折り返し部１３０及び太もも折り返し部２１０よりも緩やかに身体を覆うことができるように、腰回り折り返し部１３０及び太もも折り返し部２１０よりも弱い伸縮性を有するようにすることが好ましい。
【００３４】
なお、伸縮性素材３４０は、腰回り折り返し部１３０においては、当該腰回り折り返し部１３０の下方向先端部（折り返し点Ｐ１１とは反対側の端部）Ｐ１２にも全周に渡って設けられており、太もも折り返し部２１０においても同様に、太もも折り返し部２１０の上方向先端部（折り返し点Ｐ２１とは反対側の端部）Ｐ２２においても、全周に渡って設けられている。
【００３５】
伸縮性素材３４０をこのように配設することによって、腰回り折り返し部１３０及び太もも折り返し部２１０においては、吸水材１２０で吸収できなかった尿や水様便を介護用使い捨てパンツ１０の外部に漏れにくくすることができる。一方、腰回り折り返し部１３０及び太もも折り返し部２１０以外の領域においては、身体を緩やかに包むことができるため、着用している際に窮屈さを感じにくくすることができる。
【００３６】
次に、腰回り折り返し部１３０及び太もも折り返し部２１０についてさらに詳細に説明する。
【００３７】
図３は、腰回り折り返し部１３０及び太もも折り返し部２１０を説明するために示す図である。図３（ａ）は図１（ａ）に示す介護用使い捨てパンツ１０において、腰回り折り返し部１３０及び太もも折り返し部２１０とその周辺の要部を切り欠いて示す要部縦断面図であり、図３（ｂ）は図１（ａ）に示す介護用使い捨てパンツ１０において、腰回り折り返し部１３０とその周辺の要部を切り欠いて拡大して示す要部斜視図であり、図３（ｃ）は図１（ａ）に示す介護用使い捨てパンツ１０において、太もも折り返し部２１０（右足に対応する太もも折り返し部）とその周辺の要部を切り欠いて拡大して示す要部斜視図である。
【００３８】
なお、図３においては、防水透湿材で形成されている腰回り折り返し部１３０及び太もも折り返し部２１０の断面が、単にハッチングで示されているが、腰回り折り返し部１３０及び太もも折り返し部２１０の構成材である防水透湿材は、実際には、図２に示すような構成となっている。また、図３においては、ギャザー３５０などは図示が省略され、模式化されたものとなっている。
【００３９】
腰回り折り返し部１３０は、図３（ａ）及び図３（ｂ）に示すように、腰回り被覆部１００を腰回り折返し点Ｐ１１から内側下方向へ折り返すことによって形成されたものである。当該腰回り折り返し部１３０の上下方向の幅Ｗ１１は、４０ｍｍ〜６０ｍｍ程度が好ましく、実施形態に係る介護用使い捨てパンツ１０においては、約５０ｍｍとしている。この腰回り折り返し部１３０は、腰回り被覆部１００と同じ材質（防水透湿材）でなり、周方向の伸縮性を有している。
【００４０】
ここで、腰回り折り返し部１３０の腰回り被覆部１００に対面する側の面を「腰回り折り返し内面」としたとき、当該腰回り折り返し部１３０においては、腰回り折り返し内面のうち腰回り折返し点Ｐ１１に近い内面と、当該腰回り折返し点Ｐ１１に近い内面に対面する腰回り被覆部１００とを接合した腰回り折り返し接合部１３１が形成されている。この腰回り折り返し接合部１３１は、接着剤又は縫合によって形成することができる。
【００４１】
図３（ａ）及び図３（ｂ）において、帯状に灰色で示している領域が接合部１３１であり、当該接合部１３１は周方向において全周に渡って形成されている。接合部１３１の幅Ｗ１２は、１０ｍｍ〜２５ｍｍ程度とすることが好ましい。なお、図３（ａ）及び図３（ｂ）においては、接合部１３１が灰色で示されているが、これは、当該図３において、腰回り折り返し接合部１３１を視覚的に分かり易くするためであり、実際の介護用使い捨てパンツ１０において当該腰回り折り返し接合部１３１が灰色に着色されているものではない。
【００４２】
一方、太もも折り返し部２１０は、図３（ａ）及び図３（ｃ）に示すように、当該太もも被覆部２００の折返し点Ｐ２１から内側上方向へ折り返されることによって形成されたものである。当該太もも折り返し部２１０の上下方向の幅Ｗ２１は、４０ｍｍ〜６０ｍｍ程度が好ましく、実施形態に係る介護用使い捨てパンツ１０においては、約５０ｍｍとしている。この太もも折り返し部２１０は、太もも被覆部２００と同じ材質（防水透湿材）でなり、周方向の伸縮性を有している。
【００４３】
ここで、太もも折り返し部２１０の太もも被覆部２００に対面する側の面を「太もも折り返し内面」としたとき、当該太もも折り返し部２１０においては、太もも折り返し内面のうち太もも折返し点Ｐ２１に近い内面と、当該太もも折返し点Ｐ２１に近い内面に対面する腰回り被覆部１００とを接合した太もも折り返し接合部２１１が形成されている。この太もも折り返し接合部２１１は、接着剤又は縫合によって形成することができる。
【００４４】
図３（ａ）及び図３（ｃ）において、帯状に灰色で示している領域が接合部２１１であり、当該接合部２１１は周方向において全周に渡って形成されている。接合部２１１の幅Ｗ２２は、１０ｍｍ〜２５ｍｍ程度とすることが好ましい。なお、図３（ａ）及び図３（ｃ）においても、接合部２１１が灰色で示されているが、これは、当該図３において、太もも折り返し接合部２１１を視覚的に分かり易くするためであり、実際の介護用使い捨てパンツ１０において当該太もも折り返し接合部２１１が灰色に着色されているものではない。
【００４５】
このように、腰回り折り返し部１３０及び太もも折り返し部２１０において、それぞれ接合部１３１，２１１を設けることにより、例えば、介護用使い捨てパンツ１０を被介護者に穿かせた状態としたときに、被介護者が無意識又は意識的に、腰回り折り返し部１３０及び太もも折り返し部２１０を外側に引っ張り出そうとしても、引っ張り出しにくくすることができる。
【００４６】
実施形態に係る介護用使い捨てパンツ１０を被介護者に穿かせた状態とすると、全体的には、当該介護用使い捨てパンツ１０は、被介護者の腰回り部及び太ももにフィットした状態で腰回り部及び太ももを覆う状態となる。一方、腰回り折り返し部１３０は被介護者のへそ付近を一周するように密接して覆う状態となり、また、太もも折り返し部２１０は、左右両足の太ももを一周するように密接して覆う状態となる。
【００４７】
このとき、腰回り折り返し部１３０は、細ゴム紐などでなる伸縮性素材３４０が高密度で配設されているとともに、当該腰回り折り返し部１３０の下方向先端部Ｐ１２にまで伸縮性素材３４０が設けられているため、腰回り折り返し部１３０と被介護者の皮膚との間は、窮屈ではないが密接状態となり、また、腰回り折り返し部１３０と腰回り被覆部１００との間には、ほぼＶ字型のポケット１３２（図３（ａ）及び図３（ｂ）参照。）が存在することとなる。
【００４８】
また、太もも折り返し部２１０も同様に、当該太もも折り返し部２１０は、細ゴム紐などでなる伸縮性素材３４０が高密度で配設されているとともに、当該太もも折り返し部２１０の上方向先端部Ｐ２２にまで伸縮性素材３４０が設けられているため、太もも折り返し部２１０と被介護者の皮膚との間は、窮屈ではないが密接状態となり、太もも折り返し部２１０と太もも被覆部２００との間には、ほぼＶ字型のポケット２１２（図３（ａ）及び図３（ｃ）参照。）が存在することとなる。
【００４９】
また、介護用使い捨てパンツ１０における吸水材１２０が設けられている領域（吸水領域）は、被介護者の股間部を含む下腹部及び臀部を覆う状態となる。このため、例えば、被介護者がベッドに横になっている状態で、尿や水様便を排泄すると、当該尿や水様便の多くは、吸水材１２０で吸収され、吸水材１２０で吸収されなかった尿や水様便は、吸水材１２０の外側に漏れ出ることとなるが、介護用使い捨てパンツ１０全体（全体領域３００）は、防水透湿材によって形成されているため、よほど長時間が経過しない限り、吸水材１２０が設けられていない腰回り被覆部１００や太もも被覆部２００においても、尿や水様便が外部に染み出てしまうといったことはない。しかも、腰回り被覆部１００や太もも被覆部２００は透湿性を有しているため、「むれ」を防止できる。
【００５０】
なお、吸水材１２０で吸収されなかった尿や水様便は、介護用使い捨てパンツ１０の腰回り被覆部１００の上部方向及び太もも被覆部２００の下部方向に流れ込んで行く場合もあるが、このような場合、流れ込んだ尿や水様便は、胴回り折り返し部１３０及び太もも折り返し部２１０でくい止められる。具体的には、介護用使い捨てパンツ１０においては、腰回り折り返し部１３０と腰回り被覆部１００との間には、ほぼＶ字型のポケット１３２が存在するとともに、太もも折り返し部２１０と太もも被覆部２００との間にも、ほぼＶ字型のポケット２１２が存在するため、腰回り被覆部１００の上部方向及び太もも被覆部２００の下部方向に流れ込んで行った尿や水様便は、当該Ｖ字型のポケット１３２，２１２に入り込み、それより先への流出をくい止めることができる。
【００５１】
ところで、介護用使い捨てパンツ１０においては、図１などからも分かるように、太もも折り返し部２１０は、上方に向かって折り返されているため、当該介護用使い捨てパンツ１０を介護者に穿かせる際には、足が太もも折り返し部に引っ掛かって、穿かせにくいものとなる。そこで、当該介護用使い捨てパンツ１０の使用前の状態においては、太もも被覆部２００は、太もも折り返し部２１０とともに外側上方向に折り返された状態となっており、それによって、太もも折り返し部２１０が外側になるようにしておく（図４参照。）。
【００５２】
図４は、介護用使い捨てパンツ１０の使用前の状態を説明するために示す図である。なお、図４は、太ももを被覆部２００の要部を切り欠いて示す要部縦断面図である。また、図４においては、ギャザー３５０などは図示が省略され、模式化されたものとなっている。
【００５３】
介護用使い捨てパンツ１０の使用前においては、図４に示すように、太もも被覆部２００は、太もも折り返し部２１０とともに外側上方向に折り返された状態となっており、それによって、太もも折り返し部２１０が外側になるようにしておく。このように、太もも折り返し部２１０が外側に折り返されていることにより、当該介護用使い捨てパンツ１０を被介護者に穿かせる際には、被介護者の足が太もも折り返し部２１０に引っ掛かることなく、被介護者の足を通すことができる。なお、被介護者に介護用使い捨てパンツ１０を穿かせたあとは、太もも折り返し部２１０は外側に折り返された状態となっているため、当該外側に折り返されている太もも折り返し部２１０を内側に折り返えして、例えば、図１に示すようにすればよい。
【００５４】
なお、図４に示すような状態（太もも折り返し部が外側に存在するような状態）とするには、被介護者を介護する介護者が、当該介護用使い捨てパンツを被介護者に穿かせる際に行ってもよいが、当該介護用使い捨てパンツ１０を製造する製造者が、製造工程の中に、図４に示すような状態とするための工程を加えて、このような工程を行ったものを製品として出荷することが好ましい。これにより、当該介護用使い捨てパンツ１０を購入した消費者は、当該介護用使い捨てパンツ１０を使用する際には、そのまま使用することができるため、使い勝手のよいものとなる。
【００５５】
以上説明したように、介護用使い捨てパンツ１０においては、全体領域３００が防水透湿材で形成されている。また、股間部分１１０を含む腰回り被覆部１００の所定領域（図１において灰色で示す領域）には、吸水材１２０が設けられているとともに、胴回り被覆部１００の上部には胴回り折り返し部１３０が設けられており、太もも被覆部２００の下部には太もも折り返し部２１０が設けられている。
【００５６】
このため、被介護者が排泄した尿や水様便の多くは、吸水材１２０で吸収され、吸水材１２０で吸収されなかった尿や水様便は、吸水材１２０の外側に漏れ出ることとなるが、介護用使い捨てパンツ１０全体（全体領域３００）が、防水透湿材によって形成されているため、よほど長時間が経過しない限り、吸水材１２０が設けられていない腰回り被覆部１００や太もも被覆部２００においても、尿や水様便が外部に染み出てしまうといったことはない。しかも、腰回り被覆部１００や太もも被覆部２００は、防水性を有しながら透湿性をも有しているため、「むれ」を防止できる。
【００５７】
また、吸水材１２０で吸収されなかった尿や水様便は、介護用使い捨てパンツ１０の腰回り被覆部１００の上部方向及び太もも被覆部２００の下部方向に流れ込んで行く場合もあるが、このような場合、流れ込んだ尿や水様便は、胴回り折り返し部１３０及び太もも折り返し部２１０でくい止められる。
【００５８】
このように、実施形態に係る介護用使い捨てパンツ１０によれば、被介護者が排泄した尿や水様便の漏れを可能な限り少なくすることができる。これにより、多数の被介護者が入所している施設（介護施設や病院など）などにおいて、介護用使い捨てパンツから漏れ出た尿や水様便による臭気が、当該施設内に漂うといったことを抑制することができる。また、実施形態に係る介護用使い捨てパンツ１０は、太ももの上部までをも被覆する、いわゆるボクサーパンツ型であるため、従来の一般的な「介護用紙おむつ」に比べて、「おむつ」らしさが薄らいだものとなり、「介護用おむつ」のマイナス的なイメージを軽減できるものとなる。
【００５９】
なお、本考案は上述の実施形態に限られるものではなく、本考案の要旨を逸脱しない範囲で種々変形実施可能となるものである。たとえば、下記に示すような変形実施も可能である。
【００６０】
（１）上記実施形態においては、太もも被覆部２００の長さＬ１、腰回り折り返し部１３０の幅Ｗ１１、太もも折り返し部２１０の幅Ｗ２１、腰回り折り返し接合部１３１の幅Ｗ１２及び太もも折り返し接合部２１１の幅Ｗ２２などの各サイズは、上記実施形態に記載したサイズに限られるものではなく、適宜、設定可能である。また、Ｌ，Ｍ，Ｓなど各種のサイズを有する介護用使い捨てパンツを製造してもよい。
【００６１】
（２）上記実施形態においては、伸縮性素材３４０としては、細いゴム紐を例示したが、これに限られるものではなく、伸縮性を有する素材であれば種々の素材を用いることが可能である。
【符号の説明】
【００６２】
１０・・・介護用使い捨てパンツ、１００・・・腰回り被覆部、１１０・・股間部分、１２０・・・吸水材、１３０・・・腰回り折り返し部、１３１・・・腰回り折り返し接合部、１３２，２１２・・・Ｖ字型のポケット、２００・・・太もも被覆部、２１０・・太もも折り返し部、２１１・・・太もも折り返し接合部、３００・・・全体領域、３４０・・・伸縮性素材、３５０・・・ギャザー、Ｌ１・・・太もも被覆部の長さ、Ｐ１１・・・腰回り折り返し点、Ｐ１２・・・腰回り折り返し部１３０の下方向先端部、Ｐ２１・・・太もも折り返し点、Ｐ２２・・・太もも折り返し部２１０の上方向先端部、Ｗ１１・・・腰回り折り返し部１３０の幅、Ｗ１２・・・腰回り折り返し接合部１３１の幅、Ｗ２１・・・太もも折り返し部２１０の幅、Ｗ２２・・・太もも折り返し接合部２１１の幅
【図１】
0003220378.tif 000003
【図２】
0003220378.tif 000004
【図３】
0003220378.tif 000005
【図４】
0003220378.tif 000006
【図５】
0003220378.tif 000007